(57)【要約】      （修正有）【課題】ファッション性をより向上させることが可能な装飾具を提供する。【解決手段】芯材部の紐二本合わせ構造に毛糸が巻き付けられた後、花飾り１４０が、紐の結び目１０４の位置に取り付けられる。例えば、花飾り１４０は、紐の結び目１０４の位置に縫い付けられる。その後、装飾具の裏側から紐の結び目１０４が見えないようにするため、花飾り１４０とは逆側の結び目１０４の位置に葉っぱ飾り１６０が取り付けられる。例えば、葉っぱ飾り１６０は、接着剤を用いて取り付けられる。本実施の形態では、葉っぱ飾り１６０には、装飾具の制作会社を特定するためのタグ１７０が印刷されている。以上の工程を経て、装飾具の作成は完了する。【選択図】図４
0003193529.tif 000002
【実用新案登録請求の範囲】
【請求項１】
紐状のバンドと、前記バンドに取り付けられた花飾りと、を有し、前記バンドを任意の場所に巻いて使用可能な装飾具であって、
前記バンドは、紐を有する芯材部と、前記芯材部を被覆する毛糸を有する表層部と、を有し、
前記芯材部は、前記紐の両端部を結び合わせてなるループが直線状に引き延ばされた紐二本合わせ構造を有し、
前記毛糸は、前記紐の結び目を前記引き延ばされたループの長さ方向非両端部に配置した状態で前記紐二本合わせ構造を束ねるように螺旋状に前記芯材部に巻き付けられており、
前記花飾りは、前記紐の結び目の位置に取り付けられている、
装飾具。
【請求項２】
前記毛糸は、複数の色による模様またはグラデーション模様に着色されている、
請求項１に記載の装飾具。
【請求項３】
前記毛糸は、前記紐の結び目を前記引き延ばされたループの長さ方向中央部に配置した状態で、当該ループの長さ方向一端部から長さ方向中央部まで巻き付けられているとともに、当該ループの長さ方向他端部から長さ方向中央部まで巻き付けられている、
請求項１または２に記載の装飾具。
【請求項４】
前記毛糸は、前記紐の結び目を前記引き延ばされたループの長さ方向非両端部に配置した状態で、当該ループの長さ方向一端部から長さ方向他端部まで巻き付けられている、
請求項１または２に記載の装飾具。
【考案の詳細な説明】
【技術分野】
【０００１】
本考案は、装飾具に関する。
【背景技術】
【０００２】
従来から、身体自体または鞄・バッグその他の各種の所持品等に種々な形態の装飾具を取り付けることは、個性をアピールし、ユーザーのファッションセンスを高めるために重要な役割を果している。身体用の装飾具は、頭部、頚部、腕部その他の身体の所定部位に取り付けられることが多い。所持品用の装飾具は、所持品の各所に取り付けられて使用されることが多い。
【０００３】
装飾具に関連する技術として、特許文献１には、健康器具を兼ねて小型磁石を入れ、ファッション製の高い素材にて袋状に形成し、首の後で結んで使用する首飾りリボンが開示されている。
【０００４】
特許文献２には、伸縮部を有するバンドの中央にリボン等の飾りを固定し、衣服の一部や飾りたい部分等にバンドを巻き付けて使用する装飾バンドが開示されている。
【先行技術文献】
【特許文献】
【０００５】
【特許文献１】特開２００３−２０５０７号公報
【特許文献２】特開平９−３１６７１９号公報
【考案の概要】
【考案が解決しようとする課題】
【０００６】
しかしながら、上記特許文献１に記載の技術（首飾りリボン）は、使用時に健康上の利点があるものの、袋状に形成した布地によるファッション性しか期待できないという問題点があった。また、上記特許文献２に記載の技術（装飾バンド）は、衣服の一部や身体の一部に対する取り付けやすさに主眼がおかれたものである。すなわち、上記特許文献２に記載の装飾バンドは、飾りがリボン等であるため、装飾具としての一般的な印象を与えるのみで、ファッション性に乏しいという問題点があった。
【０００７】
本考案は、ファッション性をより向上させることが可能な装飾具を提供することを目的とする。
【課題を解決するための手段】
【０００８】
本考案に係る装飾具は、
紐状のバンドと、前記バンドに取り付けられた花飾りと、を有し、前記バンドを任意の場所に巻いて使用可能な装飾具であって、
前記バンドは、紐を有する芯材部と、前記芯材部を被覆する毛糸を有する表層部と、を有し、
前記芯材部は、前記紐の両端部を結び合わせてなるループが直線状に引き延ばされた紐二本合わせ構造を有し、
前記毛糸は、前記紐の結び目を前記引き延ばされたループの長さ方向非両端部に配置した状態で前記紐二本合わせ構造を束ねるように螺旋状に前記芯材部に巻き付けられており、
前記花飾りは、前記紐の結び目の位置に取り付けられている。
【考案の効果】
【０００９】
本考案によれば、ファッション性をより向上させることができる。
【図面の簡単な説明】
【００１０】
【図１】本実施の形態における装飾具の構成を示す図である。
【図２】本実施の形態における紐二本合わせ構造（芯材部）を形成する工程を示す図である。
【図３】本実施の形態における紐二本合わせ構造（芯材部）に毛糸を巻き付ける工程を示す図である。
【図４】本実施の形態における紐の結び目の位置に花飾りを取り付ける様子を示す図である。
【図５】本実施の形態における装飾具をユーザーの頭部に巻いて使用する例を示す図である。
【考案を実施するための形態】
【００１１】
以下、本実施の形態を図面に基づいて詳細に説明する。図１は、装飾具１００の構成を示す図であり、同図１Ａは表面図、同図１Ｂは裏面図である。装飾具１００は、紐状のバンド１２０と、バンド１２０に取り付けられた花飾り１４０とを有する。バンド１２０は、紐１０２（例えば、麻紐）を有する芯材部と、芯材部を被覆する毛糸１１０を有する表層部とを有する。装飾具１００は、バンド１２０を任意の場所（例えば、人の頭部、バッグ、着物の帯）に巻いて使用することができ、アイデア次第で色々な使い方のできる万能アイテムである。ユーザーは、装飾具１００を使用することにより、個性をアピールし、ファッションセンスを高めることができる。
【００１２】
以下、装飾具１００を作成する方法について、順を追って説明する。芯材部は、紐１０２の両端部を結び合わせてなるループが直線状に引き延ばされた紐二本合わせ構造を有する。ここで、紐二本合わせ構造を形成する方法について、図２に示す工程に従って説明する。
【００１３】
まず、図２Ａに示すように、あらかじめ用意しておいた一本の紐１０２を折り返し、並べあわせて二本合わせの紐１０２を形成する。次に、図２Ｂに示すように、紐１０２の両端部を結び合わせて（例えば、片結び）、結び目１０４を形成する。最後に、図２Ｃに示すように、紐１０２の両端部を結び合わせてなるループを直線状に引き延ばし、当該ループの長さ方向中央部に紐１０２の結び目１０４を配置する。図２Ａ〜２Ｃに示す工程によって、芯材部の紐二本合わせ構造が形成される。
【００１４】
芯材部の紐二本合わせ構造には、毛糸１１０が巻き付けられている。本実施の形態では、毛糸１１０は、複数の色（例えば、赤色、ピンク色、黄色など）による模様に着色されている。ここで、紐二本合わせ構造に毛糸１１０を巻き付ける方法について、図３に示す工程に従って説明する。
【００１５】
まず、図３Ａに示すように、紐二本合わせ構造の長さ方向一端部１０２Ａから毛糸１１０を垂らした状態で、長さ方向一端部１０２Ａに毛糸１１０を結び合わせる（例えば、片結び）。紐二本合わせ構造の長さ方向一端部１０２Ａから垂らされた毛糸１１０の部分を、以下「垂れ部１１２」と言う。
【００１６】
次に、図３Ｂに示すように、紐二本合わせ構造の長さ方向一端部１０２Ａから長さ方向中央部（結び目１０４が配置された部分）に向けて、紐二本合わせ構造を束ねるように螺旋状に毛糸１１０を巻き付ける。
【００１７】
次に、図３Ｃに示すように、紐二本合わせ構造の長さ方向中央部まで毛糸１１０を巻き付け、当該長さ方向中央部に毛糸１１０を結び合わせる（例えば、片結び）。そして、紐二本合わせ構造の長さ方向中央部から毛糸１１０を垂らした状態において、その垂らした方向の先端側で毛糸１１０を切断する。紐二本合わせ構造の長さ方向一端部１０２Ａから巻き付けられ、長さ方向中央部から垂らされた毛糸１１０の部分を、以下「垂れ部１１４」と言う。本実施の形態では、垂れ部１１２の長さは、垂れ部１１４の長さより長い。なお、垂れ部１１２の長さは、垂れ部１１４の長さ以下でも良い。
【００１８】
次に、図３Ｄに示すように、紐二本合わせ構造の長さ方向他端部１０２Ｂから毛糸１１０を垂らした状態で、長さ方向他端部１０２Ｂに毛糸１１０を結び合わせる（例えば、片結び）。紐二本合わせ構造の長さ方向他端部１０２Ｂから垂らされた毛糸１１０の部分を、以下「垂れ部１１６」と言う。そして、紐二本合わせ構造の長さ方向他端部１０２Ｂから長さ方向中央部（結び目１０４が配置された部分）に向けて、紐二本合わせ構造を束ねるように螺旋状に毛糸１１０を巻き付ける。
【００１９】
最後に、図３Ｅに示すように、紐二本合わせ構造の長さ方向中央部まで毛糸１１０を巻き付け、当該長さ方向中央部に毛糸１１０を結び合わせる（例えば、片結び）。そして、紐二本合わせ構造の長さ方向中央部から毛糸１１０を垂らした状態において、その垂らした方向の先端側で毛糸１１０を切断する。紐二本合わせ構造の長さ方向他端部１０２Ｂから巻き付けられ、長さ方向中央部から垂らされた毛糸１１０の部分を、以下「垂れ部１１８」と言う。本実施の形態では、垂れ部１１６の長さは、垂れ部１１８の長さより長い。なお、垂れ部１１６の長さは、垂れ部１１８の長さ以下でも良い。
【００２０】
芯材部の紐二本合わせ構造に毛糸１１０が巻き付けられた後、装飾具１００の裏面図である図４Ａに示すように、花飾り１４０が、紐１０２の結び目１０４の位置に取り付けられる。例えば、花飾り１４０は、紐１０２の結び目１０４の位置に縫い付けられる。その後、装飾具１００の裏面図である図４Ｂに示すように、装飾具１００の裏側から紐１０２の結び目１０４が見えないようにするため、花飾り１４０とは逆側の結び目１０４の位置に葉っぱ飾り１６０が取り付けられる。例えば、葉っぱ飾り１６０は、接着剤を用いて取り付けられる。本実施の形態では、葉っぱ飾り１６０には、装飾具１００の制作会社を特定するためのタグ１７０が印刷されている。以上の工程を経て、装飾具１００の作成は完了する。
【００２１】
図５は、装飾具１００をユーザーの頭部に巻いて使用する例を示している。ユーザーは、装飾具１００のバンド１２０を頭部に巻いて、バンド１２０の垂れ部１１２と垂れ部１１６とを当該頭部の後ろ側で結びつけている。本実施の形態では、紐１０２の両端部を結び合わせてなるループの長さ方向中央部に紐１０２の結び目１０４を配置している。そのため、結び目１０４を当該ループの長さ方向一端部１０２Ａまたは他端部１０２Ｂに配置した場合と比べて、結び目１０４に手がかかることを防止して、ユーザーの頭部にスムーズにバンド１２０を巻き付けることができる。
【００２２】
以上詳しく説明したように、本実施の形態の装飾具１００は、紐状のバンド１２０と、バンド１２０に取り付けられた花飾り１４０とを有し、バンド１２０を任意の場所に巻いて使用可能である。バンド１２０は、紐１０２を有する芯材部と、芯材部を被覆する毛糸１１０を有する表層部とを有する。芯材部は、紐１０２の両端部を結び合わせてなるループが直線状に引き延ばされた紐二本合わせ構造を有する。毛糸１１０は、紐１０２の結び目を引き延ばされたループの長さ方向中央部に配置した状態で紐二本合わせ構造を束ねるように螺旋状に芯材部に巻き付けられている。花飾り１４０は、紐１０２の結び目１０４の位置に取り付けられている。
【００２３】
このように構成した本実施の形態によれば、バンド１２０に花飾り１４０が取り付けられることに加えて、毛糸１１０が、芯材部の紐二本合わせ構造を束ねるように螺旋状に巻き付けられている。そのため、装飾具１００に高いデザイン性を付与して、そのファッション性をより向上させることができる。
【００２４】
また、本実施の形態では、毛糸１１０は、複数の色による模様に着色されている。この構成により、毛糸１１０が複数の色による模様に着色されていない場合（例えば、毛糸１１０が単色による模様に着色されている場合）と比べて、装飾具１００に更なるデザイン性を付与して、そのファッション性を更に向上させることができる。また、図５に示すように、花飾り１４０の周辺に垂れ部１１４，１１８が存在することにより、垂れ部１１４，１１８がアクセントとなり、花飾り１４０をより強調して目立たせることができる。また、毛糸１１０の垂れ部１１２，１１６については芯材部の紐二本合わせ構造に巻き付けられているわけではなく、垂れ部１１２，１１６によって毛糸１１０の素材の質感を表現することができるため、装飾具１００に更なるデザイン性を付与して、そのファッション性を更に向上させることができる。
【００２５】
なお、上記実施の形態では、毛糸１１０は、紐１０２の両端部を結び合わせてなるループの長さ方向中央部に紐１０２の結び目１０４を配置した状態で、当該ループの長さ方向一端部１０２Ａから長さ方向中央部まで巻き付けられているとともに、当該ループの長さ方向他端部１０２Ｂから長さ方向中央部まで巻き付けられている例について説明したが、本考案はこれに限定されない。例えば、毛糸１１０は、紐１０２の両端部を結び合わせてなるループの長さ方向非両端部に紐１０２の結び目１０４を配置した状態で、当該ループの長さ方向一端部１０２Ａから長さ方向他端部１０２Ｂまで巻き付けられていても良い。この構成によれば、長さ方向一端部１０２Ａおよび長さ方向他端部１０２Ｂの両方向から毛糸１１０を巻き付ける場合と比べて、毛糸１１０を巻き付ける作業を簡便にすることができる。
【００２６】
また、上記実施の形態では、紐１０２の両端部を結び合わせてなるループの長さ方向中央部に紐１０２の結び目１０４を配置する例について説明したが、結び目１０４の配置位置は、当該ループの長さ方向非両端部であれば任意位置で良い。
【００２７】
また、上記実施の形態では、毛糸１１０は、複数の色による模様に着色されている例について説明したが、本考案はこれに限定されない。例えば、毛糸１１０は、グラデーション模様（例えば、単色で濃淡を異ならせた模様など）に着色されていても良い。この構成により、毛糸１１０がグラデーション模様に着色されていない場合と比べて、装飾具１００に更なるデザイン性を付与して、そのファッション性を更に向上させることができる。
【００２８】
また、上記実施の形態は、何れも本考案を実施するにあたっての具体化の一例を示したものに過ぎず、これらによって本考案の技術的範囲が限定的に解釈されてはならないものである。すなわち、本考案はその要旨、またはその主要な特徴から逸脱することなく、様々な形で実施することができる。
【符号の説明】
【００２９】
１００  装飾具
１０２  紐
１０２Ａ  長さ方向一端部
１０２Ｂ  長さ方向他端部
１０４  結び目
１１０  毛糸
１１２，１１４，１１６，１１８  垂れ部
１２０  バンド
１４０  花飾り
１６０  葉っぱ飾り
１７０  タグ
【図１】
0003193529.tif 000003
【図２】
0003193529.tif 000004
【図３】
0003193529.tif 000005
【図４】
0003193529.tif 000006
【図５】
0003193529.tif 000007